(57)【要約】【課題】オートバイにおいて、事故の際に乗員の保護徹底に資するエアバッグ構成技術、およびその関連技術を提供する。【解決手段】オートバイとしての自動二輪車に、前方衝突の際、乗員の前方側に形成される乗員保護領域に展開膨張するエアバッグ１２１と、エアバッグ１２１の内部に膨張ガスを供給可能なインフレータ１２５と、インフレータ１２５から供給されてエアバッグ１２１の内部において流れる膨張ガスの流動態様を調整可能な整流布１３０とを有するエアバッグ装置１２０を搭載する。【選択図】      図３
2005053275.tif 000002
【特許請求の範囲】
【請求項１】
オートバイに装着されるエアバッグ装置であって、
前記オートバイの前方衝突の際、乗員の前方側に形成される乗員保護領域に展開膨張するエアバッグと、前記エアバッグの内部に膨張ガスを供給可能な膨張ガス供給手段と、前記膨張ガス供給手段から供給されて前記エアバッグの内部において流れる膨張ガスの流動態様を調整可能な調整手段とを備えていることを特徴とするエアバッグ装置。
【請求項２】
請求項１に記載のエアバッグ装置であって、
前記調整手段は、前記エアバッグの内部に収容される袋状部材を用いて構成され、
前記袋状部材には、前記膨張ガス供給手段から供給された膨張ガスが当該袋状部材の内部へ流入可能な流入部と、膨張ガスが当該袋状部材の内部から外部へと流出可能な流出部が設けられていることを特徴とするエアバッグ装置。
【請求項３】
請求項２に記載のエアバッグ装置であって、
オートバイの車体の左右方向に延在し、当該左右方向と交差する方向に凹んだ凹部を有するハンドルの車体後方側に配置される構成であり、
前記袋状部材の流出部は、前記エアバッグが展開膨張するときに当該エアバッグの内部において前記凹部に向かうように配置されていることを特徴とするエアバッグ装置。
【請求項４】
請求項２または３に記載のエアバッグ装置であって、
前記エアバッグおよび袋状部材は、互いに接合された状態でエアバッグ装置本体に取り付けられる構成であることを特徴とするエアバッグ装置。
【請求項５】
車両の前方衝突の際、エアバッグが乗員の前方側に形成される乗員保護領域に展開膨張する構成のエアバッグ装置が装着されたエアバッグ装置付オートバイであって、
前記エアバッグ装置として請求項１〜３のいずれかに記載のエアバッグ装置が用いられていることを特徴とするエアバッグ装置付オートバイ。
【発明の詳細な説明】
【０００１】
【発明の属する技術分野】
本発明は、オートバイに搭載されるエアバッグ装置の構築技術に関する。
【０００２】
【従来の技術】
従来、オートバイにエアバッグ装置を装着することによって乗員の保護を図る種々の技術が知られている。例えば、自動二輪車において、前方衝突を起こした際に、車体フレームに取り付けられたケース内に収容されたエアバッグが膨張ガスによって展開膨張し、これにより乗員を拘束するという技術が公知である（例えば、特許文献１参照。）。この技術では、エアバッグの保護エリアを広く確保する可能性が提示されているが、オートバイのように四方が開放された構成の車体にエアバッグ装置を搭載する場合には、乗員をエアバッグによって確実に拘束するのに有効な更なる技術を構築する要請が高い。
【０００３】
【特許文献１】
特開２００２−１３７７７７号公報
【０００４】
【発明が解決しようとする課題】
本発明は、かかる点に鑑みてなされたものであり、オートバイにおいて、事故の際に乗員の保護徹底に資するエアバッグ構成技術、およびその関連技術を提供することを課題とする。
【０００５】
【課題を解決するための手段】
上記課題を達成するため、各請求項記載の発明が構成される。これら各請求項に記載の発明は、各種のオートバイに搭載されるエアバッグ装置の構成に適用され得る。なお、本明細書において、「オートバイ」は、鞍乗車両、すなわち乗員がシートに跨って着座する形態の車両を広く含むものとし、例えば乗員シートの前方に燃料タンクが併設されたタイプの自動二輪車、乗員シートとハンドル支持用ヘッドパイプとの間に空間部が形成されたスクータータイプの自動二輪車のいずれも包含する。さらに自動二輪車以外に、三つ以上の走行輪を有しつつ乗員が鞍乗して着座する車両（例えばピザ宅配等に用いられる三輪式バイク、悪路走破用の三輪ないし四輪バギー式バイク）、さらにはスノーモービル等のように橇ないし無限軌道帯によって走行しつつ乗員が鞍乗して着座する車両についても上記「オートバイ」に広く包含されるものとする。
【０００６】
（請求項１に記載の発明）
請求項１に記載の発明では、オートバイに装着されるエアバッグ装置は、少なくともエアバッグ、膨張ガス供給手段および調整手段を備えている。
本発明のエアバッグは、オートバイの前方衝突の際、乗員の前方側に形成される乗員保護領域に展開膨張するようになっている。当該エアバッグの内部には、膨張ガス供給手段を介して膨張ガスが供給される。典型的には、この膨張ガス供給手段として、いわゆるインフレータと称呼されるものを用いる。このインフレータが作動することでエアバッグの内部に膨張ガスが供給され、エアバッグは乗員の前方側に形成される乗員保護領域に向かって突出しつつ展開膨張することとなる。
【０００７】
本発明の調整手段は、膨張ガス供給手段から供給されてエアバッグの内部において流れる膨張ガスの流動態様を調整可能な機能を有する。なお、本明細書でいう「流動態様」とは、膨張ガスの流れる方向、流量、圧力等、膨張ガスの流動に関する状態量を広く含む主旨である。例えば、エアバッグの内部に当該エバッグの内部を区画する織布片や、織布によって形成された筒状や袋状の部材を設けることによって、本発明の調整手段を構成することができる。典型的には、エアバッグの内部を流れる膨張ガスの流れに対し調整手段によって指向性を付与することで、エアバッグの内部を流れる膨張ガスの流れを所望の流動態様に調整することができる。これにより、エアバッグが展開膨張する方向を制御することが可能となる。
【０００８】
エアバッグの内部に膨張ガスを供給することでエアバッグを確実に展開膨張させることのみを主眼とした構成では、エアバッグが展開膨張する方向を制御するのは難しいが、本発明のように調整手段を介してエアバッグの内部における膨張ガスの流動態様を調整する構成を用いれば、最終的にエアバッグを確実に展開膨張させることはもちろん、その過程において当該エアバッグが如何なる手順で展開膨張するかについても制御可能である。例えば、エアバッグが展開膨張する方向を制御することで、オートバイの前方衝突の際の乗員の挙動に対応してエアバッグが展開膨張する態様を設定することが可能となる。
特に、オートバイのように四方が開放された構成の車体にエアバッグ装置を搭載する場合には、エアバッグが展開膨張する方向を制御し、乗員へ向かう方向へ展開膨張するのを規制することによって、事故の際の乗員の保護徹底が図られる。
【０００９】
（請求項２に記載の発明）
請求項２に記載のエアバッグ装置は、請求項１に記載の構成において、調整手段が袋状部材を用いて構成される。この袋状部材は、エアバッグの内部に収容される袋状の部材であり、流入部、流出部を有する。本発明では、膨張ガス供給手段から供給された膨張ガスは、流入部を通じて袋状部材の内部へ流入し、当該袋状部材の内部の空間を流れたのち、流出部を通じて袋状部材の外部へ流出するようになっている。このため、流出部の位置、数、形状、大きさ（内径）等を適宜調節することによって、流出部を通じて袋状部材の外部へ流出する膨張ガスの流出方向（噴出し方向）を所望の方向に設定することができる。袋状部材から流出する膨張ガスの流出方向を変えることで、袋状部材の外部において形成される膨張ガスの流動態様を調整することが可能となる。例えば、エアバッグが展開膨張する過程で、当該エアバッグを最初に展開膨張させたい向きに流出部が配置されるように構成することによって、エアバッグが所望の展開膨張過程を経て展開膨張することとなる。また、袋状部材に流出部を複数設ける構成や、流出部の大きさ（内径）を種々変更する構成によって、エアバッグが展開膨張する方向、タイミング、膨張完了までに要する時間などを好適に制御することができる。
請求項２に記載の発明のこのような構成によれば、袋状部材を用いることによって、当該袋状部材からエアバッグの内部へ供給される膨張ガスの流れ方向を調節することができる。また、このような袋状部材は、構造が簡単であり取り付けを簡便に行うことができるため合理的である。
【００１０】
（請求項３に記載の発明）
請求項３に記載のエアバッグ装置は、請求項２に記載の構成において、ハンドルの車体後方に配置される。このハンドルは、オートバイの車体の左右方向に延在し、当該左右方向と交差する方向に凹んだ凹部を有する。そして、袋状部材の流出部は、エアバッグが展開膨張するときに当該エアバッグの内部において凹部に向かうように配置されている。これにより、エアバッグは、車体の左右方向への広がりが抑えられた細長い状態で車体前方へ向けて膨張し、ハンドルの凹部を通って膨張することとなる。そして、エアバッグが展開膨張する過程において、当該エアバッグは、例えば車体前方、車体上方、乗員側の順で膨張するように制御される。これにより、エアバッグの展開膨張過程における乗員側への膨張を規制するとともに、エアバッグの展開膨張完了時には、当該エアバッグが乗員を拘束するのに十分な抗力を作用させて、乗員の保護徹底を図ることができる。
請求項３に記載の発明のこのような構成によれば、袋状部材の流出口をハンドルの凹部の位置に対応させて配置することによって、乗員の保護徹底を図るのに有効な膨張ガスの流れをエアバッグの内部において形成させることができる。
【００１１】
（請求項４に記載の発明）
請求項４に記載のエアバッグ装置は、請求項２または３に記載の構成において、エアバッグおよび袋状部材は、これらが互いに接合された状態でエアバッグ装置本体に取付けられるようになっている。例えば、エアバッグに対し袋状部材を縫製によって接合したうえで、当該エアバッグをエアバッグ装置本体に取付けられる。これにより、エアバッグと袋状部材の各々を個別にエアバッグ装置本体に取付ける場合に比して、エアバッグの補強布等、部品点数を削減することができ、またエアバッグの組み付けを簡略化することができる。
【００１２】
（請求項５に記載の発明）
請求項５に記載の発明は、請求項１〜４のいずれかに記載のエアバッグ装置が装着されたオートバイとして特定される。従って、本発明によれば、エアバッグ装置においてエアバッグの内部において流れる膨張ガスの流動態様を調整手段によって調整することで、オートバイの前方衝突の際の乗員の挙動に対応してエアバッグの展開膨張態様を設定することが可能となり、これにより、事故の際の乗員の保護徹底が図られる。
また、エアバッグの内部に収容される袋状部材を用いて調整手段を構成する場合には、袋状部材からエアバッグの内部へ供給される膨張ガスの流れ方向を調節することができる。また、このような袋状部材は、構造が簡単であり取り付けを簡便に行うことができるため合理的である。
また、袋状部材の流出部をハンドルの凹部に対応させて配置する場合には、乗員の保護徹底を図るのに有効な膨張ガスの流れをエアバッグの内部において形成させるのに有効である。
また、エアバッグおよび袋状部材を互いに接合した状態でエアバッグ装置本体に取付ける場合には、エアバッグと袋状部材の各々を個別にエアバッグ装置本体に取付ける場合に比して、エアバッグの補強布等、部品点数を削減することができ、またエアバッグの組み付けを簡略化することができる。
【００１３】
【発明の実施の形態】
以下、本発明の実施の形態につき図面を参照しつつ詳細に説明する。まず、図１〜図４を参照しながら、本実施の形態に係るスクータータイプの自動二輪車１００の構成を説明する。ここで、図１は、本実施の形態に係るスクータータイプの自動二輪車１００を側面から視た図であって、自動二輪車１００にエアバッグ装置１２０を搭載した様子を示す。図２は、図１中のエアバッグ装置１２０の構造を示す図であって、展開膨張完了時のエアバッグ１２１を乗員側から視た図である。図３は、図２中のＡ−Ａ線断面矢視図である。図４は、整流布１３０の構造を説明する図である。なお、本実施の形態の自動二輪車１００は、本発明における「オートバイ」の一例に相当する。
【００１４】
図１に示すように、自動二輪車１００は、エンジンやメインフレーム等により構成される車体構成部１０１、乗員Ｒが跨って着座可能なシート１０３、車体の左右方向に延在する舵取り操作用のハンドル１０４、前輪１１１および後輪１１２等を主体とするスクータとして構成される。
【００１５】
自動二輪車１００の車体構成部１０１上方であって、乗員Ｒの前方側領域は、自動二輪車１００が前方衝突を起こした際の乗員保護領域１４０として規定される。本実施の形態において「前方衝突」には、自動二輪車１００が前方側の衝突対象物（便宜上得に図示しない）に衝突する形態を広く包含する。また、本実施の形態における「乗員保護領域１４０」は、前方衝突時の運動エネルギーによって乗員Ｒが自動二輪車１００前方に向かって移動しようとする場合に、乗員Ｒの前方移動方向（図１中の矢印１０で示す方向）上に延在し、自動二輪車１００の前方に投げ飛ばされようとする乗員Ｒを拘束し保護するための空間として定義される。
【００１６】
車体構成部１０１のうち車体の前方側のフロント部１０２には、エアバッグ装置１２０、および各種のメーター類、スイッチ類等が設けられている。特に、エアバッグ装置１２０は、ハンドル１０４の近傍において上記の乗員保護領域１４０に臨むように配置されている。すなわち、本実施の形態では、エアバッグ装置１２０は、後述するエアバッグ１２１の突出（展開膨張）方向が、乗員Ｒの前方上方側へ向かうように配置されている。このエアバッグ装置１２０が本発明における「エアバッグ装置」に対応している。
【００１７】
図２および図３に示すように、エアバッグ装置１２０は、エアバッグ収容体としてのリテーナー１２４と、当該リテーナー１２４内に予め折り畳まれた状態で収容されるエアバッグ１２１および整流布１３０と、膨張ガスを発生するインフレータ１２５を主体として構成される。このインフレータ１２５が、本発明における「膨張ガス供給手段」に対応している。
【００１８】
本実施の形態では、エアバッグ１２１および整流布１３０は、エアバッグ１２１の内部に整流布１３０を配した状態で、インフレータ１２５とともにリテーナー１２４に取り付けられる（固定される）。エアバッグ１２１および整流布１３０は、バッグリング１２６を介して各々個別にリテーナー１２４に取り付けられるようになっている。このようにエアバッグ１２１および整流布１３０を個別にリテーナー１２４に取り付ける場合には、特に図示しないものの、エアバッグ１２１を補強する補強布を用いる。ここでいうリテーナー１２４が、本発明における「エアバッグ装置本体」に対応している。
【００１９】
エアバッグ１２１は、メインパネル１２２と、当該メインパネル１２２の両側部に組み合わされる左右一対のサイドパネル１２３とを有する。また、メインパネル１２２は、展開膨張完了時に乗員Ｒに向かう位置に配置される乗員側パネル構成布１２２ａと、展開膨張完了時に車体前方側に配置される前面側パネル構成布１２２ｂとによって構成される。このエアバッグ１２１は、例えばメインパネル１２２の両側部に各サイドパネル１２３を縫着することで形成される。このエアバッグ１２１が、本発明における「エアバッグ」に対応している。
【００２０】
整流布１３０は、エアバッグ１２１よりも小さいサイズのミニバッグであり、当該エアバッグ１２１の内部に収容される。この整流布１３０は、図４に示すように、例えば長尺状の織布１３０ａを折り返し線Ｌに沿って折り返し、縫製部１３３に沿って袋状に縫製することによって構成される。この整流布１３０が、本発明における「袋状部材」ないし「調整手段」に対応している。
【００２１】
整流布１３０には流入口１３１が設けられており、この流入口１３１はインフレータ１２５の膨張ガス供給部に接続されている。この流入口１３１は、計２つの円形状の孔によって構成されており、本発明における「流入部」に対応している。本実施の形態では、整流布１３０の内部に形成される第１の空間部１３７にこの流入口１３１を通じて膨張ガスが流入可能となっている。また、整流布１３０の車体前方側の壁部に流出口１３２が設けられている。この流出口１３２は、１つの円形状の孔によって構成されており、本発明における「流出部」に対応している。この流出口１３２は、エアバッグ１２１が展開膨張した状態において、当該エアバッグ１２１の前面側パネル構成布１２２ｂに向かう位置に設けられている。
【００２２】
また、整流布１３０の流出口１３２は、図２に示すように、車体の左右方向に延在するハンドル１０４の中央部分に設けられた凹部１０５に向かう位置に配置されている。この凹部１０５は、ハンドル１０４のフレーム部分を車体下方側へ向けて凹ませることによって形成される部位である。このような構成では、整流布１３０の第１の空間部１３７を流れる膨張ガスは、流出口１３２を通じて整流布１３０の外部の第２の空間部１２７へ流出可能となっている。この第２の空間部１２７は、整流布１３０とエアバッグ１２１との間に形成される空間である。
このように、本実施の形態では、インフレータ１２５において発生した膨張ガスは、流入口１３１を通じて整流布１３０の第１の空間部１３７へ供給されたのち、第１の空間部１３７から流出口１３２を通じてエアバッグ１２１側の第２の空間部１２７へと流れるようになっている。
【００２３】
次に、上記のように構成され製造される本実施の形態に係る自動二輪車１００およびエアバッグ装置１２０の作用を、図１、図３に加えさらに図５を参照しながら説明する。ここで図５は、自動二輪車１００を側面から視た図であって、エアバッグ１２１の展開膨張が完了した様子を示す。
【００２４】
図１に示すような状態で乗員Ｒが乗車する自動二輪車１００が、その進行方向側にて衝突事故を起こした場合、乗員Ｒは自動二輪車１００の前方に向かって例えば図１中の矢印１０方向へ移動し（投げ飛ばされ）ようとする。本実施の形態では、前方衝突の検知によりエアバッグ装置１２０が作動し、エアバッグ１２１は、乗員保護領域１４０に向かって図１中の矢印２０方向へ突出（展開）を開始する。
【００２５】
エアバッグ１２１の突出（展開）が開始されると、当該エアバッグ１２１の折り畳み部分が突出し、この折り畳み部分は折り畳みが解除されつつ突出方向へ展開されていくことになる。そして、このエアバッグ１２１の展開が開始されるとともに、リテーナー１２４内のインフレータ１２５を介して整流布１３０の空間部（図３中の第１の空間部１３７）に膨張ガスが送り込まれる。すなわち、インフレータ１２５において発生した膨張ガスは、その膨張ガス供給部から流入口１３１を通って第１の空間部１３７へと流れ込む。これにより、整流布１３０が膨張し、第１の空間部１３７へ流入した膨張ガスは、流出口１３２へ向けて例えば図３中の矢印の方向へと流れたのち、当該流出口１３２からエアバッグ１２１側の空間部（図３中の第２の空間部１２７）へ向けて流出する（噴出する）。第２の空間部１２７へ膨張ガスが流出するにつれて、エアバッグ１２１の展開膨張が進行し、当該エアバッグ１２１の膨張部分が順次拡大されていく。
【００２６】
なお、本実施の形態では、エアバッグ１２１が展開膨張する過程において、第１の空間部１３７の膨張ガスは流出口１３２を通じてハンドル１０４の凹部１０５に向かう方向に指向性をもって流出し、この膨張ガスは第２の空間部１２７においてエアバッグ１２１の内壁面に沿って流れる。膨張ガスのこの流れによって、エアバッグ１２１は、車体の左右方向への広がりが抑えられた細長い状態で車体前方（図３中の矢印１２方向）へ向けて膨張し、ハンドル１０４の中央部分の凹部１０５を通って膨張する。そして、このエアバッグ１２１は、車体前方（図３中の矢印１２方向）→車体上方（図３中の矢印１４方向）→乗員側（図３中の矢印１６方向）の順で展開膨張するように制御される。これにより、エアバッグ１２１が展開膨張する過程において、当該エアバッグ１２１の乗員へ向かう方向の展開膨張が規制されるとともに、エアバッグ１２１の展開膨張完了時には、当該エアバッグ１２１が乗員を拘束するのに十分な抗力を作用させて、乗員の保護徹底を図ることができる。
【００２７】
このように、本実施の形態によれば、整流布１３０の流出口１３２の位置を好適に設定することによって、展開膨張過程におけるエアバッグ１２１において、第１の空間部１３７から第２の空間部１２７へ流れる膨張ガスの方向を制御し、これにより、エアバッグ１２１の内部を流れる膨張ガスの流動態様（流れ方向）を調整することができる。従って、本実施の形態の整流布１３０が取り付けられたエアバッグ１２１を用いれば、最終的にエアバッグ１２１を確実に展開膨張させることはもちろん、その過程において当該エアバッグ１２１が如何なる手順で展開膨張するかについても制御可能である。例えば、エアバッグが展開膨張する方向を制御することで、自動二輪車１００の前方衝突の際の乗員の挙動に対応してエアバッグが展開膨張する態様を設定することが可能となる。
【００２８】
かくして、エアバッグ１２１は展開膨張を完了し、乗員保護領域１４０に図５に示すようなエアバッグ１２１の膨張部分を形成する。エアバッグ１２１が完全に展開膨張したこの状態では、エアバッグ１２１の膨張部分は乗員保護領域１４０に充溢し、衝突時の運動エネルギーによって矢印１０方向へ移動しようとする乗員Ｒを当該乗員保護領域１４０において確実に保持拘束し、自動二輪車１００前方へ投げ飛ばされるのを未然に防止する。特に、自動二輪車１００のように四方が開放された構成の車体にエアバッグ装置１２０を搭載する場合には、エアバッグ１２１が展開膨張する方向を制御し、乗員へ向かう方向へ展開膨張するのを規制することによって、事故の際の乗員の保護徹底が図られる。
【００２９】
（他の実施の形態）
なお、本発明は上記の実施の形態のみに限定されるものではなく、種々の応用や変形が考えられる。例えば、上記実施の形態を応用した次の各形態を実施することもできる。
【００３０】
上記実施の形態では、エアバッグ１２１および整流布１３０が、各々個別にリテーナー１２４に取り付けられる場合について記載したが、例えば図６および図７に示すような取り付け方法を用いることもできる。ここで、図６は、エアバッグ１２１の断面図であって、整流布１３０の取付け態様に関する別の実施の形態を示す図である。図７は、図６中のＢ−Ｂ線断面矢視図である。
図６および図７に示す実施の形態では、エアバッグ１２１および袋状部材１３０が互いに縫製によって一体的に接合されたうえで、エアバッグ装置本体であるリテーナー１２４に取り付けられるようになっている。このような構成によれば、エアバッグ１２１を補強する補強布を省略することができるため、部品点数を削減するのに有効である。また、エアバッグ１２１の組み付けを簡略化することができる。
【００３１】
また、上記実施の形態では、エアバッグ１２１の内部を流れる膨張ガスの流動態様（流れ方向）を調整する調整手段を、袋状に形成された整流布１３０を用いて構成する場合について記載したが、当該整流布１３０にかえて他の手段を用いて調整手段を構成することもできる。例えば、織布によって形成された筒状の部材を用いる構成や、エアバッグ１２１の内部を流れる膨張ガスの経路が所望の形状となるように織布片を縫着する構成等を用いることができる。このような構成によっても、エアバッグ１２１の内部を流れる膨張ガスの流れる方向、流量、圧力等、膨張ガスの流動に関する状態量を適宜調整することが可能となる。
【００３２】
また、上記実施の形態では、整流布１３０に設ける流出口１３２を、１つの円形状の孔によって構成する場合について記載したが、流出口１３２の形状、数、大きさ（内径）等は必要に応じて種々変更可能である。例えば、整流布１３０に流出部を複数設ける構成や、流出部の大きさ（内径）を種々変更する構成によって、エアバッグ１２１が展開膨張する方向、タイミング、膨張完了までに要する時間などを好適に制御することができる。
【００３３】
また、上記実施の形態ではスクータータイプの自動二輪車１００について記載したが、他の種類のオートバイに本発明を適用することもできる。
【００３４】
【発明の効果】
本発明によれば、オートバイにおいて、事故の際に乗員の保護徹底に資するエアバッグ構成技術、およびその関連技術が提供されることとなった。
【図面の簡単な説明】
【図１】本実施の形態に係るスクータータイプの自動二輪車１００を側面から視た図であって、自動二輪車１００にエアバッグ装置１２０を搭載した様子を示す。
【図２】図１中のエアバッグ装置１２０の構造を示す図であって、展開膨張完了時のエアバッグ１２１を乗員側から視た図である。
【図３】図２中のＡ−Ａ線断面矢視図である。
【図４】整流布１３０の構造を説明する図である。
【図５】自動二輪車１００を側面から視た図であって、エアバッグ１２１の展開膨張が完了した様子を示す。
【図６】エアバッグ１２１の断面図であって、整流布１３０の取付け態様に関する別の実施の形態を示す図である。
【図７】図６中のＢ−Ｂ線断面矢視図である。
【符号の説明】
１００…自動二輪車
１０１…車体構成部
１０２…フロント部
１０３…シート
１０４…ハンドル
１０５…凹部
１２０…エアバッグ装置
１２１…エアバッグ
１２２…メインパネル
１２２ａ…乗員側パネル構成布
１２２ｂ…前面側パネル構成布
１２３…サイドパネル
１２４…リテーナー
１２５…インフレータ
１２６…バッグリング
１２７…第２の空間部
１３０…整流布
１３１…流入口
１３２…流出口
１３７…第１の空間部
１４０…乗員保護領域
Ｒ…乗員
【図１】
2005053275.tif 000003
【図２】
2005053275.tif 000004
【図３】
2005053275.tif 000005
【図４】
2005053275.tif 000006
【図５】
2005053275.tif 000007
【図６】
2005053275.tif 000008
【図７】
2005053275.tif 000009